(57)【特許請求の範囲】
【請求項１】
木材を収納する処理容器と、該処理容器を揺動させる揺動手段とからなり、処理容器は木材を入れる開口部と底部に処理液流出口を有し、加熱手段を設けた容器本体と、該開口部を気密状に閉塞する蓋体とを有し、揺動手段は容器本体を揺動可能に支持する支持部と、この支持部を回動中心として容器本体を水平の処理姿勢と処理液流出口が低位置となる処理液排出姿勢とに揺動駆動する駆動部とを備えたことを特徴とする木材加工処理装置。
【請求項２】
処理容器にその重量を計測する計測手段を設けてなる請求項１に記載の木材加工処理装置。
【発明の詳細な説明】
【０００１】
【発明の属する技術分野】
本発明は、例えば塩素系有機溶剤の溶剤蒸気およびこれに同伴する水蒸気を用いて処理した木材を染料で着色したり、不燃処理用の薬液で不燃加工等の処理を施す時に使用される木材加工処理装置に関するものである。
【０００２】
【従来の技術】
木材を着色や不燃処理する場合、例えば特開平６−１３７７５７号公報、特開平７−３２３１５号公報等で提案されているように、メチレンクロライを用いて木材を急速乾燥する。急速乾燥させた木材は、染料で所望する色に着色加工処理したり、不燃処理用の薬液で不燃加工処理される。
これら着色加工処理や不燃加工処理は、加工処理場に固定された処理容器に木材を入れ、真空にした後、この処理容器に染料や不燃処理用の薬液を充填してこれらの薬液に木材を浸漬して処理容器内の圧力を上昇させて含浸させる。
然る後、処理容器から薬液を排出させたのち、木材を取り出して乾燥させるようになっている。
【０００３】
【発明が解決しようとする課題】
上記従来の木材加工処理では、処理容器が加工処理場に略水平に設置されていることから、木材の加工処理を終えた薬液を当該処理容器から排出するのにかなりの時間を要し、これが為に生産性が大幅に低下してしまうという問題があった。
こうした問題に対処するために処理容器を予め排出口側が低くなるように傾斜させて設置することも考えられるが、こうした場合には木材を並べ難くなるだけでなく木材の一部が薬液から露出し、木材の加工に斑が生じる問題もある。
また、処理容器底面に排出勾配を設けると薬液量も増え不経済となる。
【０００４】
また、加工処理を終えた木材を処理容器から取り出して乾燥する為に、その取り出しに手間が掛かるうえ、取り出される木材は薬液で湿った状態になっており、その薬液が作業者に付着する危険性が多分に有り作業環境の低下の原因にもなるという問題もあった。
更に、木材を木材加工処理容器から取り出す場合、木材や薬液が高温に加熱されているようなものでは、その温度が作業可能な温度まで下がる間待機しなくてはならず、この点でも加工効率が低下するという問題があった。
そこで、本発明は上記問題点に鑑み提案されたもので、手間が掛からず安全でしかも加工効率の高い処理装置を提供できるようにすることを目的とするものである。
【０００５】
【課題を解決するための手段】
上記目的を達成するために本発明にかかる木材加工処理装置は、木材を収納する耐圧処理容器と、該処理容器を揺動させる揺動手段とからなり、処理容器は木材を入れる開口部と底部に処理液流出口を有し、加熱手段を設けた容器本体と、該開口部を気密状に閉塞する蓋体とを有し、揺動手段は容器本体を揺動可能に支持する支持部と、この支持部を回動中心として容器本体を水平の処理姿勢と処理液流出口が低位置となる処理液排出姿勢とに揺動駆動する駆動部とを備えたことを特徴とするものである。
また、処理容器の重量を計測する計測手段を設けたことも特徴の１つである。
【０００６】
【発明の実施の形態】
以下、本発明の実施の形態を図面に基づいて詳しく説明する。
図１は本発明の一実施形態に係る木材加工処理装置の概略を示す正面図、図２はその平面図、図３は側面図、図４は中央縦断側面図である。
図において、符号１は木材加工処理装置を全体的に示し、この木材加工処理装置１は、木材２を収納する処理容器３と、この処理容器３を揺動させる揺動手段４とを備えてなる。
【０００７】
処理容器３は、上端が木材２を入れる開口部５として開口する長方形の箱状に形成された容器本体６と、この開口部５を気密状に閉塞する蓋体７とからなり、この蓋体７は長辺の１辺に設けたヒンジ８により開閉揺動されるようになっている。
容器本体６は、底部３ａにフィルタ９とドレンコック１０が設けられた処理液流出口１１が形成されており、底部３ａの近傍には加熱手段１２が設けられている。
この加熱手段１２は、複数本のヒータチューブ１３・１３・１３・・・を底部３ａ近傍に並べて敷設するとともに、複数本のヒータチューブ１３・１３・１３・・・を図外のボイラー等のスチーム供給源に連結して構成されている。
加熱方法としてはヒータチューブによる直接加熱の他、加熱手段１２の部分に例えば水等の媒体を入れる間接加熱がある。
【０００８】
また、容器本体６の一方の側壁部分６ａには開閉弁１４を設けた給風口１５が、他方の側壁部分６ｂには開閉弁１６を設けた排風口１７が夫々形成されている。
上記揺動手段４は、容器本体６の略中央部分の下面６ｃを設置用基盤１８から立設した枠型フレーム（支持部）１９にメタル２０を介して揺動可能に枢支させ、この枠型フレーム１９の一側方に油圧ユニット２１から圧油が供給される油圧シリンダ（駆動部）２２を容器本体６の下面６ｃと設置用基盤１８とを連結した状態で設けるとともに、枠型フレーム１９の他側方には容器本体６の姿勢を固定するロック装置２３が設けられている。
【０００９】
このロック装置２３は、設置用基盤１８から立設された支持フレーム２４と、この支持フレーム２４に対面する容器本体６の下面６ｃからロック用ブラケット２５を垂下し、この支持フレーム２４に重なり合うロック用ブラケット２５に容器本体６を水平姿勢に保つ水平用ロック孔２６と容器本体６を処理液を排出する傾斜姿勢とに保つに傾斜用ロック孔２３とが形成される。
一方、支持フレーム２４には両ロック孔２６・２７を閂状に係合してロックするシリンダ２８が取り付けられて構成されている。
【００１０】
また、設置用基盤１８には当該木材加工処理装置１の全体重量を検出するために設置用基盤１８の四隅部分にロードセル（計測手段）２９が設けてあり、このロードセル２９は、全体重量を検出することにより木材２の乾燥度合いや薬液の抜取り量等を検知するものである。
尚、ロードセル２９は、他の重量計に置き換えることも出来るし、設置用基盤１８に換えて容器本体６を支持する枠型フレーム１９部分に設けることもできる。
【００１１】
上記のように形成された木材加工処理装置６を用いて木材２を例えば不燃加工する場合を次に説明する。
先ず、容器本体６を図１の実線図で示すように、水平姿勢にし、ロック装置２３でこの姿勢を固定する。
次に、蓋体７を開き、開口部５から例えば前述の特開平６−１３７７５７号公報等に記載される乾燥装置で乾燥処理された木材２を所定量容器本体６内に充填した後、蓋体７を閉じて密閉し、ヒータチューブ１３・１３・１３  ・・で容器本体６及び木材２を加熱する。
そして、容器本体６内を真空にした後、所定温度に加熱した不燃加工用薬液を注入し、この薬液を加熱手段１２のヒータチューブ１３・１３・１３  ・・で加温しながら木材２への含浸を促進する。
【００１２】
木材２への薬液が十分に含浸すると、水平状態のまま図外のエアー取り入れ口を開き、ドレンコック１０を開いて大部分の薬液を排出した後、容器本体６を図１の実線図から仮想線図の処理液を排出する傾斜姿勢にし、この姿勢をロック装置２３で固定してから、処理液流出口１１のドレンコック１０を開き、容器本体６内の薬液を処理液流出口１１から排出する。ここで、エアーの取込みは圧縮空気を使用してもよい。
この時、容器本体６を傾斜姿勢にすると、容器本体６内の薬液は速やかに流出し、その流出させるのに要する時間を短縮することができ、且つ、残留薬液を減少できる。
しかして、容器本体６の薬液を十分に排出させた後に、給風口１５の開閉弁１４及び排風口１７の開閉弁１６を開き、給風口１５から熱風もしくは冷風を送風して容器本体６内の木材を乾燥させると、木材の不燃加工が終了する。
【００１３】
尚、上記実施の形態では木材２に不燃加工を施すのを例に説明してあるが、こうしたものに限られず、着色のための染色や防腐加工等にも使用することができるのはいうまでもないことである。
また、上記実施の形態では処理容器を直方体に形成するようにしてあるが、こうしたものに限られず、円筒形であってもよいし、開口部は上方に開口させたものに限られず、側方部が開口するようにしたものであっても良いことは勿論である。
更に、上記実施の形態では乾燥処理された木材２を不燃加工処理するようにしてあるが、前述の公報に記載された乾燥も本発明の木材加工処理装置６を用いて行うことができる。こうした場合には木材の乾燥に引き続いて加工処理を連続して行え、更に作業能率を向上させることができる利点がある。
【００１４】
【発明の効果】
本発明にかかる木材加工処理装置は以上に説明したように、処理容器を略水平にし、この処理容器に木材を収納した後、薬液を入れて木材を処理する。
然る後、揺動手段で処理容器を処理液流出口が低位置になるように揺動させてため薬液を流出させることができるので、薬液の抜取り時間を大幅に短縮でき、その分生産性を向上させることができるという利点がある。
【００１５】
然も、処理容器から薬液を抜き取った後、続けて乾燥することができるので、従来のように処理容器から木材を取り出す手間や温度の降下待ちをなくせ、この点でも生産性を向上させることができる。
【００１６】
加えて、処理容器から木材を取り出さなくても済むので、薬液で湿った木材を取り扱うことによる薬液が作業者に付着する危険性もなく作業環境の向上を図ることができる利点もある。
【００１７】
また、処理容器にその重量を計測する計測手段を設けたものでは、処理容器の重量を計測することにより、薬液の排出具合や木材の乾燥度合いを外部から簡単に検知することができる利点もある。
【図面の簡単な説明】
【図１】は本発明の木材加工処理装置の概略を示す正面図である。
【図２】は本発明の木材加工処理装置の平面図である。
【図３】は本発明の木材加工処理装置の側面図である。
【図４】は本発明の木材加工処理装置の中央縦断側面図である。
【符号の説明】
１・・・木材加工処理装置
２・・・木材
３・・・処理容器
４・・・揺動手段
５・・・開口部
６・・・容器本体
７・・・蓋体
１１・・・処理液流出口
１９・・・支持部
２２・・・駆動部
２９・・・計測手段
【図１】
0003997015.tif 000002
【図２】
0003997015.tif 000003
【図３】
0003997015.tif 000004
【図４】
0003997015.tif 000005